(57)【特許請求の範囲】
【請求項１】
綴じ具のベースを表紙体の所定領域に接合した状態に取り付ける構造であって、
表紙体とベースとのうち一方に穿たれ小径部と大径部とが連続した第一の取付孔、及び小径部と大径部とが連続しかつ小径部から見て大径部の存在する方向が第一の取付孔とは相反している第二の取付孔と、
表紙体とベースとのうち他方に穿たれ第一の取付孔の小径部及び第二の取付孔の小径部にそれぞれ重なる複数の挿通孔と、
重なり合う小径部及び挿通孔にそれぞれ挿入される複数の止着具と、
表紙体とベースとのうち他方に設けられ、第一の取付孔または第二の取付孔の少なくとも何れかの大径部に重なりこれを閉鎖して止着具が小径部から大径部に移動することを阻む舌片と
を具備してなり、舌片を変形させまたは破壊して大径部を開放し止着具を大径部を介して抜出することにより綴じ具を表紙体から取り外すことができる綴じ具の取付構造。
【請求項２】
前記第一の取付孔の小径部、大径部、前記第二の取付孔の小径部及び大径部が略一直線上に並んでいる請求項１記載の綴じ具の取付構造。
【請求項３】
前記第一の取付孔、前記第二の取付孔、前記挿通孔、前記止着具及び前記舌片の組が複数存在している請求項１または２記載の綴じ具の取付構造。
【請求項４】
前記舌片における、前記大径部に重なる箇所に棒状物を挿入可能な透孔が穿たれている請求項１、２または３記載の綴じ具の取付構造。
【請求項５】
前記舌片の周縁は略部分円弧状に切り抜かれ、その中心付近に前記透孔が穿たれている請求項４記載の綴じ具の取付構造。
【請求項６】
前記舌片は前記大径部側で前記ベースに連なり、前記小径部側に向かって延出しておりその先端が前記挿通孔の開口縁に臨む請求項１、２、３、４または５記載の綴じ具の取付構造。
【請求項７】
請求項１、２、３、４、５または６記載の取付構造を用いて、表紙体に綴じ具を取り付けたファイル。
【発明の詳細な説明】
【技術分野】
【０００１】
本発明は、ファイル用綴じ具を表紙体に取り付ける構造に関する。
【背景技術】
【０００２】
紙葉類を綴じ止めるためのファイルは種々存在するが、その多くは、合成樹脂製または紙製の表紙体に、金属製または合成樹脂製の綴じ具を取り付けているものである。多数枚の紙葉類を綴じてもその重量に耐え得るよう、通常はリベットを使用して綴じ具を表紙体に固定する。
【０００３】
製造物をリサイクルまたは廃棄処理する際には、部材を素材毎に分別することが求められる。ファイルであれば、綴じ具を表紙体から取り外してそれらを別々に回収できることが望ましい。下記特許文献には、綴じ具を簡便に取り外せるように工夫されたファイルが開示されている。具体的に説明すると、小径部と大径部とが連続した取付孔を表紙体の所定領域に穿設し、その取付孔の小径部に重なる挿通孔を綴じ具のベースに穿設した上、これら小径部及び挿通孔にリベットを挿入してかしめている。綴じ具を取り外すには、ベースを表紙体に対し相対的にスライドさせ、リベットを小径部から大径部に移動させて抜出すればよい。
【特許文献１】特許第２７０１５４２号公報
【発明の開示】
【発明が解決しようとする課題】
【０００４】
上述の如き取付構造を採用したファイルでは、落下等の衝撃による強い外力が作用した場合に、綴じ具のベースが不意に移動してリベットが大径部を介して抜出し、綴じ具が脱落してしまうおそれがある。故に、上記特許文献の例では、ベースから表紙体に向けて突出ないし膨出するストッパ片を成形し、これを表紙体に係止せしめることでベースの不意の移動を阻止し、綴じ具の脱落を予防している。
【０００５】
しかしながら、突出ないし膨出したストッパ片をベースに成形するためには複数回のプレスを行わなければならないので、工数が増すとともに金型やプレス器等の設備への投資が不可避となり、製造コストの騰貴を招くきらいがあった。
【０００６】
以上の問題に鑑みてなされた本発明は、綴じ具を表紙体から簡便に取り外すことのできるファイルを比較的低コストで実現することを所期の目的とする。
【課題を解決するための手段】
【０００７】
本発明では、綴じ具のベースを表紙体の所定領域に接合した状態に取り付けるべく、表紙体とベースとのうち一方に穿たれ小径部と大径部とが連続した第一の取付孔、及び小径部と大径部とが連続しかつ小径部から見て大径部の存在する方向が第一の取付孔とは相反している第二の取付孔と、表紙体とベースとのうち他方に穿たれ第一の取付孔の小径部及び第二の取付孔の小径部にそれぞれ重なる複数の挿通孔と、重なり合う小径部及び挿通孔にそれぞれ挿入される複数のリベット等の止着具と、表紙体とベースとのうち他方に設けられ、第一の取付孔または第二の取付孔の少なくとも何れかの大径部に重なりこれを閉鎖して止着具が小径部から大径部に移動することを阻む舌片とを具備してなり、舌片を変形させまたは破壊して大径部を開放し止着具を大径部を介して抜出することにより綴じ具を表紙体から取り外すことができる取付構造を採用した。
【０００８】
第一の取付孔の向きと第二の取付孔の向きとが不一致であるため、正方向の外力に対しても逆方向の外力に対しても何れかの側の小径部が止着具及びベースを係止し、止着具の小径部から大径部への移動を阻止できる。従って、ベースにストッパ片を敢えて成形する必要性から解放されるので、工数の削減及び設備投資の軽減を図り得る。
【０００９】
前記第一の取付孔の小径部、大径部、前記第二の取付孔の小径部及び大径部が略一直線上に並んでいれば、外力に対してより堅固になり、綴じ具が脱落するおそれがさらに低減する。また、前記第一の取付孔、前記第二の取付孔、前記挿通孔、前記止着具及び前記舌片の組が複数設けられることも有効である。
【００１０】
前記舌片における、前記大径部に重なる箇所に棒状物を挿入可能な透孔が穿たれていれば、その透孔が大径部に連通している状態となり、綴じ具を取り外すにあたって棒状物を深く差し込んで舌片を塑性変形させる、即ち曲げることが容易で、綴じ具の取り外し作業の簡便化に資する。
【００１１】
前記舌片の周縁が略部分円弧状に切り抜かれ、その中心付近に前記透孔が穿たれていれば、舌片の強度が担保される。
【００１２】
前記舌片が前記大径部側で前記ベースに連なり、前記小径部側に向かって延出しその先端が前記挿通孔の開口縁に臨むものであれば、舌片と止着具との係合を解除して舌片を塑性変形させる操作を行い易い。
【発明の効果】
【００１３】
本発明によれば、綴じ具を表紙体から簡便に取り外すことのできるファイルを比較的低コストで実現可能である。
【発明を実施するための最良の形態】
【００１４】
本発明の実施の形態を、図面を参照して説明する。本実施形態の取付構造を適用したファイルを、図１に示す。このファイルは、表紙体１の内面に複数枚の紙葉類を綴じ込むための綴じ具２を取り付けてなる。
【００１５】
表紙体１は、例えば、裏表紙１１と、裏表紙１１の側縁に連なる背表紙１２と、背表紙１２の側縁に連なる表表紙１３とを備えた樹脂成形品である。
【００１６】
綴じ具２は、例えば、薄板状のベース２１と、ベース２１の両側縁に回動可能に枢着した一対の押さえ板２２、２３と、一方の押さえ板２２から突出したパイプ状をなす複数本の綴じ桿２２１と、他方の押さえ板２３から突出し各綴じ桿２２１に挿脱可能な同数本のスライドロッド２３１とを備えた金属主体の部材である。押さえ板２２、２３は、ベース２１に対して任意に着脱することができる。押さえ板２２、２３をベース２１に枢着する機構は既知のものと同様であり、ここでは説明を省く。
【００１７】
綴じ具２の取付構造に関して詳述する。本実施形態では、表紙体１の背表紙１２の内向面に綴じ具２を取り付けることとしており、図２等に示すように、表紙体１に第一、第二の取付孔１４、１５を、ベース２１に各取付孔１４、１５に対応した挿通孔２４、２５をそれぞれ穿設し、それら取付孔１４、１５及び挿通孔２４、２５を貫通する止着具たるリベット３１、３２を以て背表紙１２とベース２１とを締結している。
【００１８】
図３等に示すように、第一、第二の取付孔１４、１５はそれぞれ、内径の小さい小径部１４１、１５１と、内形の大きい大径部１４２、１５２とが連続したダルマ（または、ひょうたん）型をなす。第二の取付孔１５の向きは、第一の取付孔１４の向きとは不一致である。即ち、小径部１４１、１５１から見た大径部１４２、１５２の存在する方向が、第一の取付孔１４と第二の取付孔１５とで相反している。第一の取付孔１４の小径部１４１、大径部１４２、第二の取付孔１５の小径部１５１及び大径部１５２は、ファイルの表紙高さ方向に沿って略一直線上に並んでおり、第一の取付孔１４と第二の取付孔１５とは所定距離を隔てて正反対を向いて対向する。
【００１９】
図４等に示すように、挿通孔２４、２５は、取付孔１４、１５の小径部１４１、１５１に略等しい内径を有し、ベース２１において小径部１４１、１５１に重なる箇所に位置する。
【００２０】
加えて、ベース２１には舌片２６、２７を設けている。舌片２６、２７は、取付孔１４、１５及び挿通孔２４、２５と同数存在し、それぞれが取付孔１４、１５の大径部１４２、１５２に重なりこれを閉鎖する。舌片２６、２７は、基端が大径部１４２、１５２側にあってベース２１に連なり、小径部１４１、１５１側に向かって延出しており、その先端が挿通孔２４、２５の開口縁に臨む。舌片２６、２７の先端縁は、リベット３１、３２の外周形状に略合致した凹円弧をなす。舌片２６、２７の周縁は略部分円弧状、換言すれば馬蹄状に切り抜き、その中心付近、大径部１４２、１５２に重なる箇所に透孔２６１、２７１を穿っておく。透孔２６１、２７１は、小径部１４１、１５１や挿通孔２４、２５よりも小径である。
【００２１】
挿通孔２４、２５及び舌片２６、２７は、板金材を素材とするベース２１を金型で打ち抜くことで形成できる。
【００２２】
リベット３１、３２は、頭部と軸部とを備え、軸部の少なくとも先端部位がパイプ状をなしている周知のものである。
【００２３】
本実施形態では、上記の第一、第二の取付孔１４、１５、挿通孔２４、２５及び舌片２６、２７を背幅方向に離間させて複数組設けており、その各々にリベット３１、３２を止着する。より具体的には、図６等に示すように、ベース２１を背表紙１２の内向面に載置し、各取付孔１４、１５をそれぞれ対応する小径部１４１、１５１に重ね合わせ、背表紙１２方（または、ベース２１方）からリベット３１、３２の軸部を小径部１４１、１５１及び取付孔２４、２５に挿入した後、リベット３１、３２の先端部位をかしめて圧潰、拡開させる。リベット３１、３２の頭部（または、拡開した軸部の先端部位）は小径部の周縁に係合し、拡開した軸部の先端部位（頭部）は挿通孔２４、２５の周縁及び舌片２６、２７の先端縁に係合して、表紙体１及びベース２１を両側から挟圧する。これにより、綴じ具２が表紙体１に固着する。
【００２４】
リベット３１、３２の軸部が小径部１４１、１５１内に存在している限り、リベット３１、３２を背表紙１２方に抜出することも、ベース２１方に抜出することもできない。リベット３１、３２を抜出し、綴じ具２を表紙体１から取り外すには、リベット３１、３２の軸部を小径部１４１、１５１から大径部１４２、１５２に移動させる必要がある。そのために、大径部１４２、１５２を閉鎖している舌片２６、２７を塑性変形させまたは破壊して、大径部１４２、１５２を開放する。例えば、図５ないし図７に示すように、舌片２６、２７の透孔２６１、２７１に棒状体、即ち押さえ板２３のスライドロッド２３１やその他の工具類を挿入して舌片２６、２７を持ち上げるように操作し、先端をリベット３１、３２から脱離させて基端に向けて曲げる。あるいは、所要の工具類を使用して舌片２６、２７を破壊し、ベース２１から取り除く。しかる後、リベット３１、３２を小径部１４１、１５１から大径部１４２、１５２に移動させ、大径部１４２、１５２から抜出する。全てのリベット３１、３２を抜出すれば、綴じ具２を取り外すことができる。
【００２５】
本実施形態によれば、綴じ具２のベース２１を表紙体１の所定領域即ち背表紙１２に接合した状態に取り付けるべく、表紙体１に穿たれ小径部１４１と大径部１４２とが連続した第一の取付孔１４、及び小径部１５１と大径部１５２とが連続しかつ小径部１４１、１５１から見て大径部１４２、１５２の存在する方向が第一の取付孔１４とは相反している第二の取付孔１５と、ベース２１に穿たれ第一の取付孔１４の小径部１４１及び第二の取付孔１５の小径部１５１にそれぞれ重なる複数の挿通孔２４、２５と、重なり合う小径部１４１、１５１及び挿通孔２４、２５にそれぞれ挿入される複数の止着具即ちリベット３１、３２と、ベース２１に設けられ第一の取付孔１４や第二の取付孔１５の大径部１４２、１５２に重なりこれを閉鎖してリベット３１、３２が小径部１４１、１５１から大径部１４２、１５２に移動することを阻む舌片２６、２７とを具備してなり、舌片２６、２７を変形させまたは破壊して大径部１４２、１５２を開放しリベット３１、３２を大径部１４２、１５２を介して抜出することにより綴じ具２を表紙体１から取り外すことができる取付構造を構成しており、表紙高さ方向に沿って下向きの外力が綴じ具２に作用したときには第二の取付孔１５の小径部１５１とリベット３２との係合によりこれを受け止め、上向きの外力が作用したときには第一の取付孔１４の小径部１４１とリベット３１との係合によりこれを受け止める。従って、ベース２１から突出ないし膨出したストッパ片を成形することなく、リベット３１、３２の大径部１４２、１５２への移動を確実に阻止できる。ベース２１にストッパ片を成形する必要性から解放されるので、工数の削減及び設備投資の軽減を図り得る。
【００２６】
前記第一の取付孔１４の小径部１４１、大径部１４２、前記第二の取付孔１５の小径部１５１及び大径部１５２が略一直線上に並んでいるため、外力に対してより堅固になり、綴じ具２が脱落するおそれがさらに低減する。また、前記第一の取付孔１４、前記第二の取付孔１５、前記挿通孔２４、２５、前記リベット３１、３２及び前記舌片２６、２７の組が複数設けられていることも有効である。
【００２７】
前記舌片２６、２７における、前記大径部１４２、１５２に重なる箇所に棒状物を挿入可能な透孔２６１、２７１が穿たれているため、その透孔２６１、２７１が大径部１４２、１５２に連通している状態となり、綴じ具２を取り外すにあたって棒状物を深く差し込んで舌片２６、２７を曲げることが容易で、綴じ具２の取り外し作業の簡便化に資する。
【００２８】
前記舌片２６、２７の周縁が略部分円弧状に切り抜かれ、その中心付近に前記透孔２６１、２７１が穿たれており、舌片２６、２７の強度が担保されている。
【００２９】
前記舌片２６、２７が前記大径部１４２、１５２側で前記ベース２１に連なり、前記小径部１４１、１５１側に向かって延出しその先端が前記挿通孔２４、２５の開口縁に臨むものであることから、舌片２６、２７とリベット３１、３２との係合を解除して舌片を塑性変形させる操作を行い易い。
【００３０】
なお、本発明は以上に詳述した実施形態に限られるものではない。上記実施形態では、第一の取付孔１４、第二の取付孔１５の双方に対応して舌片２６、２７を設けていたが、図８に示すように、何れか一方（図示例では、第一の取付孔１４）に対応する舌片２６のみを設けることとしてもよい。その場合、綴じ具２を表紙体１から取り外すには、舌片２６を変形させまたは破壊して大径部１４２を開放し、その大径部１４２に止着具３１を移動させてこれを抜出する。しかる後、残った止着具３２を大径部１５２に移動させるべくベース２１を表紙体１に対して相対的にスライドさせ、ベース２１もろとも止着具３２を大径部１５２から抜出する。
【００３１】
また、上記実施形態では、第一の取付孔の小径部、大径部、第二の取付孔の小径部及び大径部が略一直線上に並んでいたが、必ずしもこれらが略一直線上に並んでいる必要はない。よって、例えば、第一の取付孔の小径部、大径部、第二の取付孔の小径部及び大径部を略同一円周上に並ぶように配置しても構わない。
【００３２】
さらに、上記実施形態では、取付孔を表紙体に設け、挿通孔及び舌片を綴じ具のベースに設けていたが、これとは逆に、取付孔をベースに設け、挿通孔及び舌片を表紙体に設ける態様もとり得る。その場合、例えば、表紙体の一部に金属板部を設定し、そこに挿通孔や舌片を成形することが考えられる。
【００３３】
綴じ具のベースを背表紙以外の領域、例えば表表紙や裏表紙に接合してもよいことは言うまでもない。
【００３４】
その他各部の具体的構成は、本発明の趣旨を逸脱しない範囲で種々変形が可能である。
【図面の簡単な説明】
【００３５】
【図１】本実施形態の綴じ具の取付構造を採用したファイルを示す斜視図。
【図２】同ファイルの分解斜視図。
【図３】表紙体及び第一、第二の取付孔を示す要部平面図。
【図４】ベース及び挿通孔、舌片を示す要部平面図。
【図５】綴じ具の取り外しの過程を示す要部斜視図。
【図６】綴じ具の取り外しの過程を示す要部側断面図。
【図７】綴じ具の取り外しの過程を示す要部側断面図。
【図８】本発明の変形例の一を示す要部平面図。
【符号の説明】
【００３６】
１…表紙体
１４…第一の取付孔
１５…第二の取付孔
２…綴じ具
２１…ベース
２４、２５…挿通孔
２６、２７…舌片
３１、３２…止着具
【図１】
0004998922.tif 000002
【図２】
0004998922.tif 000003
【図３】
0004998922.tif 000004
【図４】
0004998922.tif 000005
【図５】
0004998922.tif 000006
【図６】
0004998922.tif 000007
【図７】
0004998922.tif 000008
【図８】
0004998922.tif 000009